(57)【特許請求の範囲】
【請求項１】
脚により支持される受台と、背枠及び前記背枠内に設けられた背板が一体成型され、前記受台に取り付けられる背もたれと、を備える椅子の背もたれ取付構造であって、
前記受台又は前記背枠の何れか一方に設けられ上下方向に伸びる取付穴と
他方に設けられ前記取付穴に挿入される取付軸と、
前記取付穴の底部側に設けられナットを挿入するナット挿入穴と、
前記取付軸に設けられ前記ナットに螺入するボルトを挿入するボルト穴と、
を備え、
前記背枠の前記受台から所定の高さの位置に、前記取付穴又は前記取付軸が設けられており、
前記取付穴は、貫通する溝を当該取付穴の深さ方向に沿って有し、
前記取付軸は、当該取付軸の軸方向に沿って側面に設けられた支持片を介して前記受台又は背枠に設けられ、
前記貫通する溝に前記支持片が嵌合して、前記取付穴に前記取付軸が挿入される
椅子の背もたれ取付構造。
【請求項２】
前記受台は上方に伸びる背支柱を有し、前記背支柱の先端部に前記取付穴又は前記取付軸が設けられている請求項１に記載の椅子の背もたれ取付構造。
【請求項３】
前記取付穴には、前記取付軸の相対移動を規制する移動規制部が設けられている請求項１又は２に記載の椅子の背もたれ取付構造。
【請求項４】
前記ナット挿入穴は、前記取付穴の底面として設けられる前記移動規制部を挟んで前記取付穴とは逆側に設けられる
請求項３に記載の椅子の背もたれ取付構造。
【発明の詳細な説明】
【技術分野】
【０００１】
本発明は、椅子の背もたれ取付構造に関する。
【背景技術】
【０００２】
従来、背もたれを有する椅子が知られている（例えば、特許文献１参照。）。特許文献１の椅子は、図１1に示すように、背フレーム４１と、この背フレーム４１の内側に設け
られた背板４２とからなる背もたれ４０と、この背もたれ４０を支持する受台４３、受台４３を回転自在に支持する脚４４、受台４３上に配置された座部４５を有している。
【０００３】
背フレーム４１と背板４２とは、樹脂によって一体成型されている。また、背もたれ４０には、両側から下方に伸びる取付脚部４６が設けられている。背もたれ４０は、取付脚部４６を受台４３の両側から上方に伸びる支持杵４７にボルト４８によって固定することにより、受台４３に取り付けられている。ボルト４８の頭部は、カバー部材４９によって隠蔽されている。
【特許文献１】特開２００７−１２５２２０号公報
【発明の開示】
【発明が解決しようとする課題】
【０００４】
しかしながら、従来の背フレームと背板とが一体成型されている背もたれを有する椅子は、背もたれをボルト及びナットなどの固定具だけで受台に取り付けていたので、固定具の数が増加し、組み立て作業が面倒になるという問題があった。また、固定具が外部に露出するため外観が損なわれるという問題があった。
【０００５】
また、背フレームにナットをインサート成型により一体成型し、背フレームを受台上に載置したあと、受台側からボルトを挿入して背フレームのナットに螺入することにより、背フレームを受台に固定するものも知られているが、この場合には、例えば椅子を廃棄する際に、樹脂製の背フレームと金属製のナットとを分離する必要があり、作業が面倒であった。
【０００６】
本発明は、このような問題に鑑みなされたもので、組み立て作業が容易であると共に、廃棄作業が容易で、且つ外観を向上できる背もたれの取付構造の提供を課題とする。
【課題を解決するための手段】
【０００７】
本発明は、前記課題を解決するため、以下の手段を採用した。
すなわち、本発明は、
脚により支持される受台と、背枠及び前記背枠内に設けられた背板が一体成型され、前記受台に取り付けられる背もたれと、を備える椅子の背もたれ取付構造であって、
前記受台又は前記背枠の何れか一方に設けられ上下方向に伸びる取付穴と
他方に設けられ前記取付孔に挿入される取付軸と、
を備える。
【０００８】
本発明によれば、背もたれ又は受台の一方に設けられた取付軸を、他方に設けられた取付孔に挿入するだけで、背もたれを受台に取り付けることができる。これにより、取付軸と取付孔との嵌合力で背もたれを支持できるので、背もたれと受台とを固定する固定具が不要、又は数を減らすことができ、部品点数及び組み立て工数の低減が可能になる。また、外部に露出する固定具の数が減るので、外観が向上する。
【０００９】
ここで、前記背枠の前記受台から所定の高さの位置に、前記取付孔又は前記取付軸が設けられている構成にできる。また、前記受台は上方に伸びる背支柱を有し、前記背支柱の先端部に前記取付孔又は前記取付軸が設けられている構成にできる。また、前記取付孔には、前記取付軸の相対移動を規制する移動規制部を設けることができる。
【００１０】
また、前記取付穴の底部側に設けられナットを挿入するナット挿入穴と、
前記取付軸に設けられ前記ナットに螺入するボルトを挿入するボルト穴と、
を更に備える構成にできる。
【００１１】
この構成によれば、取付孔に取付軸を挿入する際に、ナット挿入孔にナットを挿入し、取付軸のボルト孔にボルトを挿入してナットに螺入することにより、背もたれを受台により確実に固定できる。また、背枠にナットを一体成型することがないので、椅子を廃棄する際に、背枠とナットとを分離する必要がなく、廃棄作業が容易になる。また、ナット及びボルトはそれぞれナット挿入穴又はボルト孔全体的に挿入する構成とすることにより、ボルト及びナットが外部に露出するのを回避できるので、外観が更に向上する。
【発明の効果】
【００１２】
本発明によれば、背もたれと受台との組み立て作業工数を低減できると共に、椅子の廃棄処理が容易になり、且つ外観の向上を図ることができる。
【発明を実施するための最良の形態】
【００１３】
以下、本発明に係る椅子の背もたれ取付構造の実施の形態を、添付した図面に基づいて詳細に説明する。なお、以下の実施形態は一実施例であり、本発明は実施形態に限定されない。
【００１４】
図１は、本発明に係る椅子の背もたれ取付構造を適用した椅子１の正面図を示す。この椅子１は、脚１１と、この脚１１により回転自在に支持される受台１２と、受台１２上に設けられた座部１３と、座部１３の後端側から上方に伸びる背もたれ１４とを有している。なお、図１〜図１０中の「上」、「下」、「左」、「右」、「前」、「後」は、椅子１に座った利用者から見た方向を示している。
【００１５】
次に、上記各構成要素について説明する。脚１１は、中央から放射状に伸びる複数の足部１１ａと、これらの足部１１ａの先端に設けられた車輪１１ｂとを有している。受台１２は、脚１１の中央に回転自在に設けられている。座部１３は、受台１２の上に取り付けられている。
【００１６】
背もたれ１４は、図２に示すように、利用者の背中の形状に合わせて座部１３側に凹となる湾曲状に形成されている。また、この背もたれ１４の背フレーム２０は略棒状に形成され、背板２１は板状に形成されている。
【００１７】
また、背フレーム２０は、図３に示すように、座部１３から所定の高さ、例えば標準的な体格の利用者における腰に対応する部分を基点部２３として、この基点部２３より上側の部分、及び基点部２３より下側の部分が、それぞれ座部１３から離れる方向に適宜な角度で傾斜している。すなわち、基点部２３が、座部１３側に突出している。
【００１８】
この背もたれ１４は、図４に示すように、略四角の枠状に形成された背枠としての背フレーム２０と、この背フレーム２０内に設けられた背板２１とを備えている。背フレーム２０及び背板２１は、例えば柔軟性を有する合成樹脂によって一体成型されている。背フレーム２０は、受台１２から上方に伸びる支持竿としての背支柱２２によって両側を支持されている。
【００１９】
背フレーム２０は、背板２１の両側を支持する左枠部２０ａ及び右枠部２０ｂと、これらの左右枠部２０ａ，２０ｂの上下端を連結する上枠部２０ｃ及び下枠部２０ｄとを有している。下枠部２０ｄの略中央部は、背支柱２２を連結する連結部材２２ａにボルトによって固定されている。これにより、背もたれ１４の下側が受台１２にしっかりと固定され、上側が比較的変形しやすくなる。
【００２０】
この背フレーム２０は、背面（後方）から見て左右枠部２０ａ，２０ｂの基点部２３から上側の部分が上広がり状に形成され、基点部２３から下側の部分が下広がり状に形成されている。すなわち、左右枠部２０ａ，２０ｂは、背面（後方）から見たときに基点部２３が中窄み状になるように形成されている。また、背板２１は、多数の菱形状の孔２４を有し網状に形成されている。また、背板２１の基点部２３における上下の所定の範囲Ｈは、他の部分より肉厚に形成されている。
【００２１】
背もたれ１４は、図４に示すように、取付部２５によって受台１２の背支柱２２に取り付けられている。この取付部２５は、図５に示すように、受台１２の背支柱２２又は背もたれ１４の背フレーム２０の何れか一方に設けられた上下に伸びるスライド孔（取付孔）２６と、他方に設けられ上下方向に伸びるスライド軸（取付軸）２７とを有している。
【００２２】
本実施形態では、背フレーム２０の左右枠部２０ａ，２０ｂにおける基点部２３付近に、後方に突出する突出部２８が設けられ、この突出部２８にスライド孔２６が設けられている。また、背支柱２２の先端が上方に略直角に曲げられて取付片２９が設けられ、この取付片２９に前方に突出するスライド軸２７が設けられている。なお、背フレーム２０側にスライド軸２７を設け、背支柱２２側にスライド孔２６を設けてもよい。
【００２３】
また、背フレーム２０の突出部２８と、背支柱２２の取付片２９は、突出部２８内に挿入されたナット５０と、スライド軸２７内に挿入されたボルト５１によって締結されている。
【００２４】
背フレーム２０のスライド孔２６は、図６（ａ），（ｂ）に示すように、突出部２８の下側に向けて開口している。また、スライド孔２６には、全長に亘って後方に貫通する溝３０が設けられている。本実施形態では、スライド孔２６は断面が四角形状に形成されている。また、スライド孔２６の底面２６ａは、スライド軸２７の相対移動を規制する移動規制部として機能する。更に、スライド孔２６の底面２６ａ側には、ナット５０（図５参照）を外部から挿入するためのナット挿入孔５２が設けられている。
【００２５】
背支柱２２のスライド軸２７は、図７（ａ），（ｂ）に示すように、スライド孔２６と略相似形に形成されている。このスライド軸２７は、スライド軸２７より横幅Ｌが小さい支持片３１を介して背支柱２２に設けられている。また、スライド軸２７は、左右枠部２０ａ，２０ｂのスライド孔２６に容易に挿入し、スライド孔２６内を滑らかにスライド移動させることができるように形成されている。更に、スライド軸２７には、ナット５０に螺入するボルト５１を挿入するボルト孔５３及びザグリ穴５４が設けられている。
【００２６】
スライド孔２６とスライド軸２７の形状及び寸法は、図８に示すように、スライド軸２７をスライド孔２６内に完全に挿入した状態で、互いにがた付くことなく嵌合され、且つ利用者による押圧荷重が背もたれ１４に作用した際に、変形或いは破損しないように形成されている。なお、本実施形態では、スライド孔２６及びスライド軸２７を断面四角形にした場合について説明したが、スライド孔２６及びスライド軸２７の断面は、円形、その他各種の形状でもよい。なお、図８は、図を見やすくするため菱形状の孔２４を省略した。
【００２７】
背もたれ１４を背支柱２２に取り付ける際には、図９に示すように、ナット挿入孔５２内にナット５０を挿入し、受台１２における両側の背支柱２２，２２間における上方に背もたれ１４を配置し、背フレーム２０の両側のスライド孔２６を、両側の背支柱２２のスライド軸２７に合わせる。そして、背もたれ１４を降下させて、そのスライド孔２６を、背支柱２２のスライド軸２７に嵌め入れる。
【００２８】
更に背もたれ１４を降下させて、スライド軸２７をスライド孔２６内で相対的にスライドさせる。取付軸２７が取付穴２６内にある程度挿入されたとき、ボルト孔５３にボルト５１を挿入し、ナット挿入孔５２内のナット５０に螺入する。これにより、図１０に示すように、スライド軸２７の上端がスライド孔２６の底面（移動規制部）２６ａに当接したときに、背もたれ１４の降下が停止する。これにより、背もたれ１４が背支柱２２に取り付けられる。なお、スライド孔２６を背支柱２２に設け、背フレーム２０にスライド軸２７を設けることができる。この場合には、スライド孔２６の下端面に移動規制部２６ａを設ける。
【００２９】
このように、本実施形態の背もたれ１４の取付構造は、背もたれ１４を受台１２の上方から降下させ、背もたれ１４のスライド孔２６を背支柱２２のスライド軸２７に嵌め入れて相対的にスライドさせることにより、背もたれ１４と受け台１２とを組み立てることができる。従って、固定具が不要又は数を減らすことができるので、部品点数及び組み立て工数の低減が可能になる。また、外部に露出する固定具の数が減るので、外観が向上する。
【００３０】
また、背もたれ１４と別体のナット５０とボルト５１によって、背もたれ１４の突出部２８と背支柱２２の取付片２９とを締結することにより、背もたれ１４を背支柱２２に更に確実に固定できる。
【００３１】
これにより、背もたれ１４の背フレーム２０と背板２１とが一体成型されている場合等に、背もたれ１４にナットをインサート成型することなく、外部から挿入したナット５０及びボルト５１によって背もたれ１４を背支柱２２に確実に固定できる。従って、椅子１を廃棄する場合に、背もたれ１４とナット５０とを分離する作業が不要になるので、廃棄作業が容易になる。また、ナット５０及びボルト５１は、全体的に部材の内部に挿入されるので、外部に露出するのを防止でき、外観の向上を図ることができる。
【００３２】
更に、本実施形態では、背もたれ１４と受台１２との取付部２５を背もたれ１４の基点部２３付近に設けたので、基点部２３に利用者による押圧荷重の多くが作用する場合でも、背もたれ１４を確実に支持できる。
【図面の簡単な説明】
【００３３】
【図１】実施形態に係る椅子を示す正面図である。
【図２】実施形態に係る椅子の上面図であり、図１のＡ矢視図である。
【図３】実施形態に係る椅子の側面図であり、図１のＢ矢視図である。
【図４】実施形態に係る背もたれの背面図であり、図３のＣ矢視図である。
【図５】実施形態に係る背もたれと受台との取付部を示す側面図であり、図４のＥ矢視図である。
【図６】図６（ａ）は実施形態に係る背フレームの取付軸を示す図であり図５のＦ矢視図、図６（ｂ）は取付軸の断面を示す図であり図６（ａ）のＧ−Ｇ断面図である。
【図７】図７（ａ）は実施形態に係る受台の取付孔を示す図であり図５のＨ矢視図、図７（ｂ）は取付孔の断面を示す図であり図７（ａ）のＪ−Ｊ断面図である。
【図８】実施形態に係る取付孔と取付軸との嵌合状態を示す図であり、図５のＫ−Ｋ断面図である。
【図９】実施形態に係る背もたれの取付孔に受台の取付軸を挿入する方法を示す縦断面図である。
【図１０】本実施形態に係る取付軸を取付孔に完全に挿入した状態を示す図である。
【図１１】従来例に係る椅子を示す斜視図である。
【符号の説明】
【００３４】
１  椅子
１１  脚
１１ａ  足部
１１ｂ  車輪
１２  受台
１３  座部
１４  背もたれ
２０  背フレーム
２０ａ  左枠部
２０ｂ  右枠部
２０ｃ  上枠部
２０ｄ  下枠部
２１  背板
２２  背支柱
２２ａ  連結部材
２３  基点部
２４  菱形状の孔
２５  取付部
２６  スライド孔
２７  スライド軸
２８  突出部
２９  取付片
３０  溝
３１  支持片
４１  背フレーム
４２  背板
４３  受台
４４  脚
４５  座部
４６  取付脚部
４７  支持杵
４８  ボルト
４９  カバー部材
５０  ナット
５１  ボルト
５２  ナット挿入穴
５３  ボルト穴
５４  ざぐり
【図１】
0005410672.tif 000002
【図２】
0005410672.tif 000003
【図３】
0005410672.tif 000004
【図４】
0005410672.tif 000005
【図５】
0005410672.tif 000006
【図６】
0005410672.tif 000007
【図７】
0005410672.tif 000008
【図８】
0005410672.tif 000009
【図９】
0005410672.tif 000010
【図１０】
0005410672.tif 000011
【図１１】
0005410672.tif 000012